(57)【要約】【課題】集塵袋を使用する電気掃除機において、安価で確実な集塵袋取り付け忘れ構成を提供することを目的とする。【解決手段】電動送風機３２を内蔵する電気掃除機本体１７は、電動送風機３２の吸気前方に形成した集塵室２１と、本体１７に後部を回動自在に軸止されて集塵室２１の上方開口を開閉自在に閉塞する蓋体２３と、集塵室２１内に収容される集塵袋と、集塵袋の前端上部を係止する袋口押さえ３６を具備し、前記蓋体２３内面には集塵袋２０が無い状態では少なくとも前記袋口押さえ３６の上端側と電動送風機３２側の側端の２カ所で係合する係合手段４１、４３を有する。【選択図】  図１
2004267685.tif 000002
【特許請求の範囲】
【請求項１】
電動送風機を内蔵する電気掃除機の本体は、電動送風機の吸気前方に形成した集塵室と、本体に後部を回動自在に軸止されて集塵室の上方開口を開閉自在に閉塞する蓋体と、集塵室内に収容される集塵袋と、集塵袋の前端上部を係止するよう集塵室内側方向に付勢された袋口押さえとを具備し、前記蓋体内面には集塵袋がない状態では少なくとも前記袋口押さえの上端側と電動送風機側の側端の２カ所で係合する係合手段を有してなる電気掃除機。
【請求項２】
係合手段はスライドコア構造で蓋体に一体に形成してなる請求項１記載の電気掃除機。
【請求項３】
袋口押さえを回動自在に取着する本体をポリプロピレンで形成してなる請求項１または２のいずれか１項記載の電気掃除機。
【請求項４】
集塵袋の前端上部を係止する袋口押さえのフック部は、電気掃除機幅方向に分離した２カ所に形成されてなる請求項１または２のいずれか１項記載の電気掃除機。
【請求項５】
袋口押さえはポリアセタールで形成してなる請求項１または４のいずれか１項記載の電気掃除機。
【発明の詳細な説明】
【０００１】
【発明の属する技術分野】
本発明は、集塵袋を用いる電気掃除機において、集塵袋が取り付けられていない時には、集塵袋を収容する集塵室を開閉自在に閉塞する蓋体が正常にセットできないようにする構造に関するものである。
【０００２】
【従来の技術】
従来、この種の電気掃除機の構成を特許文献１に基づいて説明する。
【０００３】
集塵室３内の前方部には集塵袋７の口板８を保持する係止体１０が掃除機本体１に回動自在に取付けられている。集塵室３の上方開放は蓋２で開閉され、この蓋２には袋付忘れ防止リブ１３が係止体１０の上方かつ後方に位置するように配置されている。
【０００４】
この構成により集塵袋７を集塵室３内に取り付け、口板８を正規に係止体１０に保持させると、袋付忘れ防止リブ１３は係止体１０に引っ掛かることなく蓋２が正しく閉じる。一方、集塵袋７を集塵室３に取り付けずに蓋２を閉めようとすると、係止体１０が軸１２を支点として集塵室７内側方向に回動付勢されているために、袋付忘れ防止リブ１３が係止体１０の上面にあたって蓋２の閉動作を阻害し、掃除機の使用者に集塵袋７無しの異常を認識させるものである（例えば、特許文献１参照）。
【０００５】
【特許文献１】
実公平６−１１０１号公報
【０００６】
【発明が解決しようとする課題】
ところでこのような構成の電気掃除機にあって、近年掃除機本体１の軽量化を進め、使い勝手を良くすることを目的に、掃除機本体１を比重の小さいポリプロピレン（以下ＰＰと略す）で成形することが一般的な手段となってきた。ところがＰＰは同じ厚みであるならば、外郭材料として通常使用されるアクリロニトリル・ブタジエン・スチレン（以下ＡＢＳと略す）に比較すると剛性が低く、変形しやすい。このため、前述と同じ構成をとって集塵袋７の取付け忘れ防止を行おうとしても、集塵袋７をセットしない状態で袋付忘れ防止リブ１３が係止体１０に当たった状態は発生させ得るが、そこから少し力を加えたり、或いはそのまま電気掃除機を運転状態にして集塵室７内が大気圧より低い状態になり、圧力差によって蓋２を閉じる力が作用したりすると、係止体１０そのものは変形が無くても係止体１０を保持するＰＰ製の本体側で変形が生じ、係止体１０が集塵室３の内側に倒れ込み、蓋２が閉じた状態が起こってしまう。
【０００７】
逆に、ＡＢＳ製の本体で変形が無くても係止体１０をＰＰで製造すると同様になり、変形が少なくなるようにリブ補強した係止体１０構造にする必要が起こり、集塵袋取り付け部の構造の簡素化が阻害されて操作性が悪化したり、本体ＡＢＳ化の質量増による使い勝手の低下を招くという課題が発生していた。
【０００８】
本発明は上記課題を解消して、使い勝手の良い電気掃除機を提供することを目的とする。
【０００９】
【課題を解決するための手段】
上記目的を達成するために本発明は、電動送風機を内蔵する電気掃除機の本体は、電動送風機の吸気前方に形成した集塵室と、本体に後部を回動自在に軸止されて集塵室の上方開口を開閉自在に閉塞する蓋体と、集塵室内に収容される集塵袋と、集塵袋の前端上部係止するよう集塵室内側方向に付勢された袋口押さえとを具備し、前記蓋体内面には集塵袋がない状態では少なくとも前記袋口押さえの上端側と電動送風機側の側端の２カ所で係合する係合手段を設けるものであり、容易な構成によって集塵袋取り付け忘れの機能を確実に維持させるものである。
【００１０】
【発明の実施の形態】
本発明の請求項１記載の発明は、電動送風機を内蔵する電気掃除機の本体は、電動送風機の吸気前方に形成した集塵室と、本体に後部を回動自在に軸止されて集塵室の上方開口を開閉自在に閉塞する蓋体と、集塵室内に収容される集塵袋と、集塵袋の前端上部係止するよう集塵室内側方向に付勢された袋口押さえとを具備し、前記蓋体内面には集塵袋がない状態では少なくとも前記袋口押さえの上端側と電動送風機側の側端の２カ所で係合する係合手段を設けることにより、容易な構成によって集塵袋取り付け忘れの機能を確実に維持できるとともに、掃除機本体の軽量化を促進できるものである。
【００１１】
本発明の請求項２記載の発明は、請求項１記載のものにおいて、係合手段はスライドコア構造で蓋体に一体に形成することにより、係合部には必要な厚肉構成を取りつつ蓋体外観のひけ発生を防止し、また、部品数を増やすことなく製造コストの上昇を防げる。
【００１２】
本発明の請求項３記載の発明は、請求項１または２記載のものにおいて、袋口押さえを回動自在に取着する本体はＰＰで形成することにより本体質量の低減を行える。
【００１３】
本発明の請求項４記載の発明は、請求項１または２記載のいずれかにおいて、集塵袋の前端上部を係止する袋口押さえのフック部は、電気掃除機幅方向に分離した２カ所に形成することにより、蓋体と本体の取り付けガタが生じてもいずれかの部分で確実に集塵袋取り付け忘れの機能を果たし、良好な使い勝手を確実に維持できるものである。
【００１４】
本発明の請求項５記載の発明は、請求項１または４記載のものにおいて、袋口押さえをポリアセタールで形成することにより、袋口押さえの剛性を高め、集塵袋取り付け忘れの機能維持を完全にできるものである。
【００１５】
【実施例】
（実施例１）
以下、本発明の第１の実施例について図を用いて説明する。
【００１６】
図３において、電気掃除機１１は延長管１２に取り付けた塵埃を吸引する吸込具１３を有し、該延長管１２は手元ハンドル１４とホース継ぎ手１５付きのホース１６とを介して掃除機本体１７（以下、本体１７とする）に連結されている。本体１７は、底面に枢支された１個の前輪キャスター１８と、本体１７の後部両側面に回転自在に取り着けた一対の後輪１９とを備えている。
【００１７】
図１〜図２に示すように、本体１７の内部前方には集塵袋２０を収容する集塵室２１が形成され、上本体２２に回動自在に軸止された蓋体２３で開閉自在に覆われている。集塵室２１の前方部には集塵袋２０に固着した厚紙製の支持板２４に密着した吸気口弁２５を挟持して前蓋２６が取り付けられている。前蓋２６の略中央には吸気口２６ａが集塵室２１に連通して一体に形成され、ホース継手１５が着脱自在に接続される。
【００１８】
集塵室２１の後方には隔壁２７にて集塵室２１と前後に区画された電動送風機室２８、コードリール室（図示せず）が並列に形成されている。前記電動送風機室２８とコードリール室は後輪１９を取り付けた下本体３０と上本体２２と電動送風機３２に吸引された気流の出口を形成したリヤカバー（図示せず）とで外郭を構成されている。電動送風機室２８内には、電動送風機３２の動作時の振動を本体１７へ直接伝播しないように前支持ゴム３３と後支持ゴム３４で前後を保持した電動送風機３２が収容されている。また、電動送風機３２前方の隔壁２７には通気孔３５が形成されていて、電動送風機３２と集塵室２１を連通している。下本体３０は本体１７の外郭を構成する部品としては最も体積が大きく、本体１７を軽量にして使い勝手を良くするため、ＰＰで形成されている。
【００１９】
剛性の高いポリアセタール（以下、ＰＯＭと略す）製の袋口押さえ３６は、集塵室２１内の吸気口弁２５の上方で下本体３０に回動自在に軸止されており、バネ３７により電動送風機３２側に回動するように付勢されている。上部のフック３９は軸止部上方で左右に分岐するよう形成され、支持板２４を係止するフック爪４０を有している。集塵袋２０は支持板２４下端部を下本体３０の集塵室２１前部に形成したガイド３８で位置決めした後、支持板２４の上方側を前蓋２６側に回動させ、支持板２４の左右の上端部を袋口押さえ３６に形成した一対のフック３９に係止される。
【００２０】
４１は蓋体２３の内面前方に形成された一対の係合リブで、袋口押さえ３６に集塵袋２０の支持板２４をフックしていない時に、蓋体２３を閉じる動作で自動的にフックさせるべく、電動送風機３２側で底面側への出代が大きくなる傾斜をした支持板案内リブ４２に直交して形成されている。係合リブ４１の後方中央側には係合リブ４１に連なって係合突起リブ４３が形成されている。係合リブ４１と係合突起リブ４３は袋口押さえ３６のフック３９に相対し、支持板２４の上端をフック３９に係止している状態では、蓋体２３を閉じると係合リブ４１がフック３９の直後に位置することとなり、蓋体２３は正常に閉じる。一方、集塵袋２０を取り付けていない状態では、図１に示すように、袋口押さえ３６はバネ３７の付勢で電動送風機３２側に倒れた状態となり、フック３９の上辺に係合リブ４１が乗り上がると同時に係合突起リブ４３がフック３９の電動送風機３２側端面の直後に入り込んだ状態となる。この状態では蓋体２３の回動に対して袋口押さえ３６のフック３９と蓋体２３の係合リブ４１とが互に嵌合しあい、すなわち、係合リブ４１がフック３９を押してフック３９を電動送風機３２側に回動させようとしても、同時に係合突起リブ４３がフック３９の回動を阻害することとなって蓋体２３が開いたままとなる。
【００２１】
なお、係合突起リブ４３は、蓋体２３のスライドコア構造の金型構成によって、先端側（集塵室２１底面側）で厚みが約２．５ｍｍと大きく、途中より係合リブ４１と同等の厚みの約１．３ｍｍに形成してある。
【００２２】
次に、上記構成における動作、作用について説明する。
【００２３】
電動送風機３２を運転状態にすると、吸込具１３から吸塵される含塵気流は、延長管１２、ホース１６、吸気口２６ａを経由して集塵袋２０内に流入し、塵埃だけが集塵袋２０で捕集され、清浄化された気流は集塵室２１、通気孔３５を通過して電動送風機３２に吸引される。電動送風機３２を通過した気流は、電動送風機室２２を経由してリヤカバーより排出される。
【００２４】
ところで、集塵袋２０内に塵埃が一杯になると、袋口押さえ３６のフック３９部を前蓋２６側に回動させて集塵袋２０の支持板２４をフック爪４０から外し、ガイド３８から集塵袋２０を上方に抜くようにして集塵室２１から取り出す。続いて新しい集塵袋２０を上記逆の手順で取り付け、再使用することとなる。
【００２５】
ところが、使用者が新しい集塵袋２０の取り付けを忘れて、電気掃除機１１を使用しようとして蓋体２３を閉じると、袋口押さえ３６はバネ３７の付勢で電動送風機３２側に倒れた状態となり、フック３９の上辺に係合リブ４１が乗り上がると同時に係合突起リブ４３がフック３９の電動送風機３２側端面の直後に入り込んだ状態となり、蓋体２３は閉じない。無理に蓋体２３を閉じようとしても、フック３９が軸止部を回動中心として集塵室２１底面側に動こうとする動きを、フック３９の後方に位置した係合突起リブ４３が支え、阻止するために閉じない。
【００２６】
また、蓋体２３が閉じていない状況（すなわち集塵袋２０が取り付けられていない状態）で使用者が誤って電気掃除機１１を運転しても、蓋体２３が開いたままの隙間から吸気が行われ、吸込具１３から吸気は行われず、塵埃が集塵袋２０の無い集塵室２１に吸引される不具合は発生しない。
【００２７】
さらに、集塵袋２０の前端上部を係止する袋口押さえ３６のフック３９は、電気掃除機１１の幅方向に分離した２カ所に形成しているため、蓋体２３と本体１７の取り付け部でガタが生じても、いずれかのフック３９部分で確実に集塵袋２０取り付け忘れの機能を果たし、良好な使い勝手を確実に得られるものである。
【００２８】
また、この作用は下本体３０がＰＰ製であって袋口押さえ３６の回動範囲を規制する部分の剛性が低く、かつ蓋体２３へ無理な閉じ力を加える時でも、袋口押さえ３６の軸止部とフック３９間の撓み分だけの変移にとどまり、フック３９の位置は殆ど変わらず、したがって集塵袋２０取り付け忘れの機能が確実に果たされることにより、本体１７の軽量化を促進できるものである。
【００２９】
なお、上記作用はＰＯＭで袋口押さえ３６を形成した場合には、袋口押さえ３６の軸止部とフック３９間の撓みも極小になるため確実性が最大になるものである。
【００３０】
加えて、係合突起リブ４３は、蓋体２３のスライドコア構造の金型構成によって、先端側（集塵室２１底面側）で厚みが約２．５ｍｍと大きく、途中より係合リブ４１と同等の厚みの約１．３ｍｍの段つき状に形成してあるので、集塵袋２０を取り付けていない状態で、蓋体２３へ無理な閉じ力を加える時でも、係合突起リブ４３がフック３９の回動力に負けて折損するようなことが起らないと同時に、蓋体２３の外郭面内側の厚みは外郭面に比較して薄くなっている結果、外郭表面にヒケ現象が発生して商品価値を低下させることもない。したがって、係合突起リブ４３、係合リブ４１を別部品で構成する必要も無くなり、製造コストの上昇を防げるものである。
【００３１】
【発明の効果】
以上説明したように本発明の構成によれば、電動送風機を内蔵する電気掃除機の本体に、電動送風機の吸気前方に形成した集塵室と、本体に後部を回動自在に軸止されて集塵室の上方開口を開閉自在に閉塞する蓋体と、集塵室内に収容される集塵袋と、集塵袋の前端上部係止するよう集塵室内側方向に付勢された袋口押さえとを設け、前記蓋体内面には集塵袋がない状態では少なくとも前記袋口押さえの上端側と電動送風機側の側端の２カ所で係合する係合手段を設けることにより、容易な構成によって安価で、且つ集塵袋取り付け忘れの機能を確実に維持させ得るものである。
【図面の簡単な説明】
【図１】本発明の第１の実施例を示す電気掃除機の要部中央断面図
【図２】同電気掃除機本体の要部中央断面図
【図３】同電気掃除機の全体斜視図
【図４】同蓋体に設けた係合リブ周辺の斜視図
【符号の説明】
１７  本体
２１  集塵室
２３  蓋体
３２  電動送風機
３６  袋口押さえ
４１  係合リブ（係合手段）
４３  係合突起リブ（係合手段）
【図１】
2004267685.tif 000003
【図２】
2004267685.tif 000004
【図３】
2004267685.tif 000005
【図４】
2004267685.tif 000006